(57)【要約】【課題】レンズの可動量が大きくても光軸方向へのレンズの駆動を安定させることが可能で、かつ、小型化することが可能なレンズ駆動装置を提供すること。【解決手段】レンズ駆動装置は、レンズ２と、レンズ２を保持し光軸方向へ移動可能な可動体５と、可動体５を光軸方向へ移動可能に保持する保持体７と、可動体５を光軸方向へ駆動するための駆動機構８とを備えている。駆動機構８は、略柱状に形成され保持体７に固定される駆動用磁石部１１と、略筒状に巻回されて形成され可動体５に固定される駆動用コイル１２とを備えている。駆動用コイル１２は、その内周面が駆動用磁石部１１の外周面と所定の隙間を介して対向するように配置され、駆動用磁石部１１は、Ｙ方向で重なるように対向配置される略板状の２個の駆動用磁石片を備えている。互いに対向する駆動用磁石片同士の対向面は、同じ磁極に着磁されている。【選択図】図２
2011059244.tif 000002
【特許請求の範囲】
【請求項１】
レンズと、前記レンズを保持し前記レンズの光軸方向へ移動可能な可動体と、前記可動体を前記光軸方向へ移動可能に保持する保持体と、前記可動体を前記光軸方向へ駆動するための駆動機構とを備え、
前記駆動機構は、略柱状に形成され前記保持体に固定される駆動用磁石部と、略筒状に巻回されて形成され前記可動体に固定される駆動用コイルとを備え、
前記駆動用コイルは、その内周面が前記駆動用磁石部の外周面と所定の隙間を介して対向するように配置され、
前記駆動用磁石部は、前記光軸方向に略直交する方向で重なるように対向配置される略板状の２個の駆動用磁石片を備え、
互いに対向する前記駆動用磁石片同士の対向面は、同じ磁極に着磁されていることを特徴とするレンズ駆動装置。
【請求項２】
前記駆動用磁石部は、前記光軸方向から見たときに、互いに対向する前記駆動用磁石片の対向方向を短辺とし、前記対向方向に略直交する方向を長辺とする略長方形状に形成され、
前記駆動用コイルは、前記光軸方向から見たときに、前記対向方向を短辺とし、前記対向方向に略直交する方向を長辺とする略長方形状に巻回されていることを特徴とする請求項１記載のレンズ駆動装置。
【請求項３】
前記駆動用磁石部は、互いに対向する前記駆動用磁石片の間に配置される磁性部材を備えることを特徴とする請求項１または２記載のレンズ駆動装置。
【請求項４】
前記可動体を前記光軸方向へ案内するためのガイド軸を備え、
前記可動体と前記ガイド軸との間に、前記光軸方向における所定の位置で前記可動体を保持する位置保持機構が配置されていることを特徴とする請求項１から３のいずれかに記載のレンズ駆動装置。
【請求項５】
前記位置保持機構は、前記ガイド軸に形成される凹部と、前記可動体に取り付けられ前記凹部に係合する係合部とを備えることを特徴とする請求項４記載のレンズ駆動装置。
【請求項６】
前記レンズは、ズームレンズであり、
前記ガイド軸には、ズーム倍率が所定の倍率となる位置で前記可動体が保持されるように、所定の間隔で複数の前記凹部が形成されていることを特徴とする請求項５記載のレンズ駆動装置。
【請求項７】
前記レンズとしてのズームレンズと、前記ズームレンズを保持する前記可動体としての第１可動体と、前記第１可動体を前記光軸方向へ駆動する前記駆動機構としての第１駆動機構とを備えるとともに、
前記ズームレンズの光軸とその光軸とが略一致するように配置されるフォーカスレンズと、前記フォーカスレンズを保持するとともに前記光軸方向へ移動可能な第２可動体と、前記第２可動体を前記光軸方向へ駆動するための第２駆動機構とを備え、
前記第２駆動機構は、略柱状に形成され前記保持体に固定される第２駆動用磁石部と、略筒状に巻回されて形成され前記第２可動体に固定される第２駆動用コイルとを備え、
前記第２駆動用コイルは、その内周面が前記第２駆動用磁石部の外周面と所定の隙間を介して対向するように配置され、
前記第２駆動用磁石部は、前記光軸方向で重なるように対向配置される略柱状の２個の第２駆動用磁石片を備え、
互いに対向する前記第２駆動用磁石片同士の対向面は、同じ磁極に着磁されていることを特徴とする請求項１から６のいずれかに記載のレンズ駆動装置。
【請求項８】
前記第２駆動用磁石部は、互いに対向する前記第２駆動用磁石片の間に配置される磁性部材を備えることを特徴とする請求項７記載のレンズ駆動装置。
【請求項９】
前記第２可動体を所定の原点位置に向かって付勢する付勢部材を備えることを特徴とする請求項７または８記載のレンズ駆動装置。
【請求項１０】
前記第２可動体を前記光軸方向へ案内するための第２ガイド軸を備え、
前記付勢部材は、導電性材料で形成されるとともに前記第２ガイド軸が挿通される圧縮コイルバネであり、
前記圧縮コイルバネには、前記第２駆動用コイルを構成する導線の端部が固定されていることを特徴とする請求項９記載のレンズ駆動装置。
【請求項１１】
前記第１可動体を前記光軸方向へ案内するための第１ガイド軸と、前記第２可動体を前記光軸方向へ案内するための第２ガイド軸とを備え、
前記第１駆動機構は、前記駆動用磁石部としての第１駆動用磁石部を備え、
前記光軸方向から見たときに、前記第１駆動用磁石部と前記第２駆動用磁石部とが重なり、前記第１ガイド軸と前記第２ガイド軸とが重なっていることを特徴とする請求項７から１０のいずれかに記載のレンズ駆動装置。
【発明の詳細な説明】
【技術分野】
【０００１】
本発明は、携帯電話等で使用される比較的小型のカメラに搭載されるレンズ駆動装置に関する。
【背景技術】
【０００２】
従来、携帯電話等で使用されるカメラの撮影用レンズを駆動するレンズ駆動装置として、ズームレンズとフォーカスレンズとを個別に駆動するレンズ駆動装置が知られている（たとえば、特許文献１および２参照）。この特許文献１および２に記載のレンズ駆動装置は、ズームレンズを保持する第１レンズホルダと、フォーカスレンズを保持する第２レンズホルダと、第１レンズホルダを光軸方向へ駆動する第１駆動機構と、第２レンズホルダを光軸方向へ駆動する第２駆動機構とを備えている。
【０００３】
また、このレンズ駆動装置は、レンズの光軸方向から見たときの形状が長方形状となるように形成されており、第１駆動機構は、光軸方向から見たときのレンズ駆動装置の長辺に略平行な方向におけるレンズ駆動装置の一端側に配置され、第２駆動機構は、光軸方向から見たときのレンズ駆動装置の長辺に略平行な方向におけるレンズ駆動装置の他端側に配置されている。また、第１駆動機構は、レンズ駆動装置の筺体に固定される磁石およびヨークと、第１レンズホルダに固定されるコイルとから構成され、第２駆動機構は、第１駆動機構と同様に、レンズ駆動装置の筺体に固定される磁石およびヨークと、第２レンズホルダに固定されるコイルとから構成されている。
【０００４】
このレンズ駆動装置では、ヨークは、光軸方向から見たときのレンズ駆動装置の長辺に略直交する一方側壁部、他方側壁部および中間壁部の３つの壁部を備え、一方側壁部と他方側壁部との間に中間壁部が形成されている。また、中間壁部と対向する一方側壁部の対向面に磁石が固定され、中間壁部と対向する他方側壁部の対向面にも磁石が固定されている。一方側壁部に固定され中間壁部に対向する磁石の対向面と、他方側壁部に固定され中間壁部に対向する磁石の対向面とは、単極に着磁されるとともに同じ磁極に着磁されている。また、駆動用コイルは、略角筒状に形成されており、駆動用コイルの内周面に中間壁部が挿通されている。
【先行技術文献】
【特許文献】
【０００５】
【特許文献１】特開２００７−２８８３３号公報
【特許文献２】特開２００７−１２１７２７号公報
【発明の概要】
【発明が解決しようとする課題】
【０００６】
特許文献１および２に記載のレンズ駆動装置では、上述のように、一方側壁部に固定され中間壁部に対向する磁石の対向面と、他方側壁部に固定され中間壁部に対向する磁石の対向面とが、単極に着磁されるとともに同じ磁極に着磁され、また、略角筒状に形成された駆動用コイルの内周面に中間壁部が挿通されている。そのため、光軸方向において、第１レンズホルダや第２レンズホルダがどの位置にあっても、第１レンズホルダや第２レンズホルダに作用する光軸方向への駆動力が略一定になる。したがって、このレンズ駆動装置では、レンズの可動量が大きくても、光軸方向へのレンズの駆動を安定させることが可能になる。
【０００７】
しかしながら、特許文献１および２に記載のレンズ駆動装置では、ヨークが一方側壁部、他方側壁部および中間壁部の３つの壁部を備え、中間壁部と対向する一方側壁部の対向面および中間壁部と対向する他方側壁部の対向面に磁石が固定されているため、装置が大型化する。
【０００８】
そこで、本発明の課題は、レンズの可動量が大きくても光軸方向へのレンズの駆動を安定させることが可能で、かつ、小型化することが可能なレンズ駆動装置を提供することにある。
【課題を解決するための手段】
【０００９】
上記の課題を解決するため、本発明のレンズ駆動装置は、レンズと、レンズを保持しレンズの光軸方向へ移動可能な可動体と、可動体を光軸方向へ移動可能に保持する保持体と、可動体を光軸方向へ駆動するための駆動機構とを備え、駆動機構は、略柱状に形成され保持体に固定される駆動用磁石部と、略筒状に巻回されて形成され可動体に固定される駆動用コイルとを備え、駆動用コイルは、その内周面が駆動用磁石部の外周面と所定の隙間を介して対向するように配置され、駆動用磁石部は、光軸方向に略直交する方向で重なるように対向配置される略板状の２個の駆動用磁石片を備え、互いに対向する駆動用磁石片同士の対向面は、同じ磁極に着磁されていることを特徴とする。
【００１０】
本発明のレンズ駆動装置では、保持体に固定される駆動用磁石部は、光軸方向に略直交する方向で重なるように対向配置される略板状の２個の駆動用磁石片を備え、互いに対向する駆動用磁石片同士の対向面は、同じ磁極に着磁されている。また、本発明では、略筒状に巻回されて形成され可動体に固定される駆動用コイルは、その内周面が駆動用磁石部の外周面と所定の隙間を介して対向するように配置されている。そのため、本発明では、光軸方向において、可動体がどの位置にあっても、可動体に作用する光軸方向への駆動機構の駆動力が略一定になる。したがって、本発明では、レンズの可動量が大きくても光軸方向へのレンズの駆動を安定させることが可能になる。
【００１１】
また、本発明では、略柱状に形成される１個の駆動用磁石部と、略筒状に巻回されその内周面が駆動用磁石部の外周面と所定の隙間を介して対向するように配置される１個の駆動用コイルとによって、光軸方向へのレンズの駆動力を得ることが可能になるため、特許文献１および２に記載のレンズ駆動装置と比較して、レンズを駆動するための機構を簡素化することが可能になる。その結果、本発明では、レンズ駆動装置を小型化することが可能になる。
【００１２】
本発明において、駆動用磁石部は、光軸方向から見たときに、互いに対向する駆動用磁石片の対向方向を短辺とし、対向方向に略直交する方向を長辺とする略長方形状に形成され、駆動用コイルは、光軸方向から見たときに、対向方向を短辺とし、対向方向に略直交する方向を長辺とする略長方形状に巻回されていることが好ましい。このように構成すると、駆動用コイルの対向方向に略直交する部分と、駆動用磁石部の対向方向に略直交する面との対向面積を増やすことが可能になる。本発明では、駆動用コイルの対向方向に略直交する部分で、可動体を光軸方向へ駆動するための駆動力を得ている。したがって、このように構成すると、駆動機構の駆動力を高めることが可能になり、光軸方向へのレンズの駆動をより安定させることが可能になる。
【００１３】
本発明において、駆動用磁石部は、互いに対向する駆動用磁石片の間に配置される磁性部材を備えることが好ましい。本願発明者の検討によると、駆動用磁石片の間に磁性部材が配置されていない場合と比較して、駆動用磁石片の間に磁性部材が配置されている場合には、効率の良い磁気回路を形成することが可能になる。したがって、このように構成すると、駆動機構の駆動力を高めることが可能になり、光軸方向へのレンズの駆動をより安定させることが可能になる。
【００１４】
本発明において、レンズ駆動装置は、可動体を光軸方向へ案内するためのガイド軸を備え、可動体とガイド軸との間に、光軸方向における所定の位置で可動体を保持する位置保持機構が配置されていることが好ましい。このように構成すると、可動体を所定位置で保持するための保持電流を駆動用コイルに流す必要がなくなる。したがって、レンズ駆動装置の省電力化を図ることが可能になる。また、可動体の位置を検出するための検出機構を設けなくても、可動体を所定の位置で停止させることが可能になる。したがって、レンズ駆動装置の構成を簡素化することが可能になるとともに、レンズを駆動するための制御が容易になる。
【００１５】
本発明において、位置保持機構は、たとえば、ガイド軸に形成される凹部と、可動体に取り付けられ凹部に係合する係合部である。本発明において、レンズがズームレンズである場合には、ガイド軸には、ズーム倍率が所定の倍率となる位置で可動体が保持されるように、所定の間隔で複数の凹部が形成されていることが好ましい。このように構成すると、ズーム倍率が段階的に変わるように、ズームレンズをステップ駆動することが可能になる。
【００１６】
本発明において、レンズ駆動装置は、レンズとしてのズームレンズと、ズームレンズを保持する可動体としての第１可動体と、第１可動体を光軸方向へ駆動する駆動機構としての第１駆動機構とを備えるとともに、ズームレンズの光軸とその光軸とが略一致するように配置されるフォーカスレンズと、フォーカスレンズを保持するとともに光軸方向へ移動可能な第２可動体と、第２可動体を光軸方向へ駆動するための第２駆動機構とを備え、第２駆動機構は、略柱状に形成され保持体に固定される第２駆動用磁石部と、略筒状に巻回されて形成され第２可動体に固定される第２駆動用コイルとを備え、第２駆動用コイルは、その内周面が第２駆動用磁石部の外周面と所定の隙間を介して対向するように配置され、第２駆動用磁石部は、光軸方向で重なるように対向配置される略柱状の２個の第２駆動用磁石片を備え、互いに対向する第２駆動用磁石片同士の対向面は、同じ磁極に着磁されていることが好ましい。
【００１７】
このように構成すると、互いに対向する第２駆動用磁石片の間では、第２駆動用コイルの全周において、第２駆動用コイルの内周側から外周側に向かう磁束、または、第２駆動用コイルの全周において、第２駆動用コイルの外周側から内周側に向かう磁束を発生させることが可能になる。したがって、第２駆動機構では、第２駆動用磁石部の全周および第２駆動用コイルの全周を利用して第２可動体を駆動するための磁気回路を効率良く形成することが可能になる。したがって、第２駆動機構によるフォーカスレンズの駆動力を高めることが可能になる。なお、ズームレンズの可動量に比べてフォーカスレンズの可動量は一般的に小さいため、第２駆動機構がこのように構成されていても、フォーカスレンズを適切に駆動することは可能である。
【００１８】
本発明において、第２駆動用磁石部は、互いに対向する第２駆動用磁石片の間に配置される磁性部材を備えることが好ましい。本願発明者の検討によると、第２駆動用磁石片の間に磁性部材が配置されていない場合と比較して、第２駆動用磁石片の間に磁性部材が配置されている場合には、効率の良い磁気回路を形成することが可能になるため、このように構成すると、第２駆動機構の駆動力を効果的に高めることが可能になる。
【００１９】
本発明において、レンズ駆動装置は、第２可動体を所定の原点位置に向かって付勢する付勢部材を備えることが好ましい。このように構成すると、第２可動体を原点位置に戻す際に第２駆動用コイルに電流を流す必要がなくなる。したがって、レンズ駆動装置の省電力化を図ることが可能になる。また、第２可動体の原点位置を検出するための検出機構を設けなくても、第２可動体を原点位置で停止させることが可能になる。したがって、レンズ駆動装置の構成を簡素化することが可能になるとともに、フォーカスレンズを駆動するための制御が容易になる。
【００２０】
本発明において、レンズ駆動装置は、第２可動体を光軸方向へ案内するための第２ガイド軸を備え、付勢部材は、導電性材料で形成されるとともに第２ガイド軸が挿通される圧縮コイルバネであり、圧縮コイルバネには、第２駆動用コイルを構成する導線の端部が固定されていることが好ましい。このように構成すると、第２駆動用コイルを構成する導線の端部を固定するための端子を別途、設ける必要がなくなる。したがって、レンズ駆動装置の構成を簡素化することが可能になる。
【００２１】
本発明において、レンズ駆動装置は、第１可動体を光軸方向へ案内するための第１ガイド軸と、第２可動体を光軸方向へ案内するための第２ガイド軸とを備え、第１駆動機構は、駆動用磁石部としての第１駆動用磁石部を備え、光軸方向から見たときに、第１駆動用磁石部と第２駆動用磁石部とが重なり、第１ガイド軸と第２ガイド軸とが重なっていることが好ましい。このように構成すると、光軸方向から見たときに、第１駆動用磁石部と第２駆動用磁石部とがずれている場合や第１ガイド軸と第２ガイド軸とがずれている場合と比較して、光軸方向に直交する方向において、レンズ駆動装置を小型化することが可能になる。
【発明の効果】
【００２２】
以上のように、本発明のレンズ駆動装置では、レンズの可動量が大きくても光軸方向へのレンズの駆動を安定させることが可能になり、また、装置を小型化することが可能になる。
【図面の簡単な説明】
【００２３】
【図１】本発明の実施の形態にかかるレンズ駆動装置の斜視図である。
【図２】図１に示すレンズ駆動装置から第１カバー部材および第２カバー部材を取り外した状態を一方向から示す斜視図である。
【図３】図１に示すレンズ駆動装置から第１カバー部材および第２カバー部材を取り外した状態を他方向から示す斜視図である。
【図４】図２に示す第１駆動機構の構成を説明するための概略図であり、（Ａ）は側面図、（Ｂ）は（Ａ）のＤ−Ｄ方向から第１駆動用磁石部および第１駆動用コイルを示す図である。
【図５】図２に示す第２駆動機構の構成を説明するための概略図であり、（Ａ）は側面図、（Ｂ）は（Ａ）のＥ−Ｅ方向から第２駆動用磁石部および第２駆動用コイルを示す図である。
【図６】図２に示す第１可動体を、光軸方向における所定の位置で保持する位置保持機構の構成を説明するための図である。
【図７】本発明の他の実施の形態にかかる位置保持機構を説明するための図である。
【発明を実施するための形態】
【００２４】
以下、図面を参照しながら、本発明の実施の形態を説明する。
【００２５】
（レンズ駆動装置の構成）
図１は、本発明の実施の形態にかかるレンズ駆動装置１の斜視図である。図２は、図１に示すレンズ駆動装置１から第１カバー部材１８および第２カバー部材１９を取り外した状態を一方向から示す斜視図である。図３は、図１に示すレンズ駆動装置１から第１カバー部材１８および第２カバー部材１９を取り外した状態を他方向から示す斜視図である。
【００２６】
本形態のレンズ駆動装置１は、携帯電話等で使用される比較的小型のカメラに搭載されるものであり、図１に示すように、全体として扁平な略直方体状に形成されている。具体的には、レンズ駆動装置１は、撮影用のレンズ２、３（図２、図３参照）の光軸Ｌの方向（光軸方向）から見たときの形状が扁平な略長方形状となるように形成されている。
【００２７】
本形態のレンズ駆動装置１が搭載されるカメラでは、被写体からの光は、図１等に示すＺ１方向側からレンズ２、３に入射する。したがって、以下の説明では、Ｚ１方向側を被写体側（物体側）、Ｚ２方向側を反被写体側（撮像素子側、像側）とする。また、以下の説明では、レンズ駆動装置１の光軸Ｌに直交するとともに互いに直交する２方向をＸ方向、Ｙ方向とする。さらに、以下の説明では、図１等のＸ１方向側を「右」側、Ｘ２方向側を「左」側、Ｙ１方向側を「上」側、Ｙ２方向側を「下」側とする。本形態では、光軸方向から見たときのレンズ駆動装置１の長辺は左右方向と略平行になっており、光軸方向から見たときのレンズ駆動装置１の短辺は上下方向と略平行になっている。
【００２８】
レンズ駆動装置１は、上述のように、撮影用のレンズ２、３を備えている。レンズ２、３はその光軸Ｌが略一致するように配置されている。また、レンズ２、３は、被写体側から反被写体側に向かってこの順番で配置されるとともに、レンズ駆動装置１の右端側に配置されている。本形態のレンズ２はズームレンズであり、レンズ３はフォーカスレンズである。したがって、以下では、レンズ２を「ズームレンズ２」とし、レンズ３を「フォーカスレンズ３」とする。
【００２９】
また、レンズ駆動装置１は、ズームレンズ２を保持し光軸方向へ移動可能な可動体としての第１可動体５と、フォーカスレンズ３を保持し光軸方向へ移動可能な第２可動体６と、第１可動体５および第２可動体６を光軸方向へ移動可能に保持する保持体７と、第１可動体５を光軸方向へ駆動する駆動機構としての第１駆動機構８と、第２可動体６を光軸方向へ駆動する第２駆動機構９とを備えている。
【００３０】
第１駆動機構８は、保持体７に固定される駆動用磁石部としての第１駆動用磁石部１１と、第１可動体５に固定される駆動用コイルとしての第１駆動用コイル１２とを備えている。第１駆動用磁石部１１は、略四角柱状に形成されており、その側面がＸ方向またはＹ方向と略平行になるように保持体７に固定されている。第１駆動用コイル１２は、略四角筒状に巻回されて形成されており、その側面がＸ方向またはＹ方向と略平行になるように第１可動体５に固定されている。第１駆動機構８の詳細な構成については後述する。
【００３１】
第２駆動機構９は、保持体７に固定される第２駆動用磁石部１３と、第２可動体６に固定される第２駆動用コイル１４とを備えている。第２駆動用磁石部１３は、略四角柱状に形成されており、その側面がＸ方向またはＹ方向と略平行になるように保持体７に固定されている。第２駆動用コイル１４は、略四角筒状に巻回されて形成されており、その側面がＸ方向またはＹ方向と略平行になるように第２可動体６に固定されている。第２駆動機構９の詳細な構成については後述する。
【００３２】
保持体７は、レンズ駆動装置１の被写体側の下面および被写体側の端面を構成する第１ベース部材１６と、レンズ駆動装置１の反被写体側の下面および反被写体側の端面を構成する第２ベース部材１７と、レンズ駆動装置１の被写体側の上面および左右の両側面を構成する第１カバー部材１８と、レンズ駆動装置１の反被写体側の上面および左右の両側面を構成する第２カバー部材１９とを備えている。第１ベース部材１６、第２ベース部材１７、第１カバー部材１８および第２カバー部材１９は、磁性材料で形成されている。また、保持体７は、第１可動体５を光軸方向へ案内するためのガイド軸としての２本の第１ガイド軸２０、２１と、第２可動体６を光軸方向へ案内するための２本の第２ガイド軸２２、２３とを備えている。さらに、保持体７は、第１可動体５および第２可動体６を光軸方向へ案内するための共通の第３ガイド軸２４を備えている。
【００３３】
第１ベース部材１６は、Ｘ方向とＹ方向とから形成されるＸＹ平面に略平行な２個の側面部１６ａ、１６ｂを備えている。側面部１６ａは、第１ベース部材１６の被写体側端に配置されており、レンズ駆動装置１の被写体側の端面を構成している。側面部１６ｂは、第１ベース部材１６の反被写体側端に配置されている。また、側面部１６ｂは、第１ベース部材１６の左端から左右方向における第１ベース部材１６の略中間位置まで形成されている。
【００３４】
第２ベース部材１７は、ＸＹ平面に略平行な２個の側面部１７ａ、１７ｂを備えている。側面部１７ａは、第２ベース部材１７の反被写体側端に配置されており、レンズ駆動装置１の反被写体側の端面を構成している。側面部１７ｂは、第２ベース部材１７の被写体側端に配置されている。また、側面部１７ｂは、側面部１６ｂと同様に、第２ベース部材１７の左端から左右方向における第２ベース部材１７の略中間位置まで形成されている。
【００３５】
第１ベース部材１６と第２ベース部材１７とは、側面部１６ｂと側面部１７ｂとを当接させた状態で互いに固定されている。第１カバー部材１８は、第１ベース部材１６の上面側を覆うように、第１ベース部材１６に取り付けられ、第２カバー部材１９は、第２ベース部材１７の上面側を覆うように、第２ベース部材１７に取り付けられている。
【００３６】
第１ガイド軸２０は、第１ベース部材１６の側面部１６ａ、１６ｂに取り付けられている。具体的には、光軸方向を軸方向として、左右方向における第１ベース部材１６の略中心で、第１ガイド軸２０の両端側のそれぞれが側面部１６ａ、１６ｂに取り付けられている。第１ガイド軸２１は、第１ベース部材１６の側面部１６ａ、１６ｂに取り付けられている。具体的には、光軸方向を軸方向として、第１ベース部材１６の左端側で、第１ガイド軸２１の両端側のそれぞれが側面部１６ａ、１６ｂに取り付けられている。
【００３７】
第２ガイド軸２２は、第２ベース部材１７の側面部１７ａ、１７ｂに取り付けられている。具体的には、光軸方向を軸方向として、左右方向における第２ベース部材１７の略中心で、第２ガイド軸２２の両端側のそれぞれが側面部１７ａ、１７ｂに取り付けられている。第２ガイド軸２３は、第２ベース部材１７の側面部１７ａ、１７ｂに取り付けられている。具体的には、光軸方向を軸方向として、第２ベース部材１７の左端側で、第２ガイド軸２３の両端側のそれぞれが側面部１７ａ、１７ｂに取り付けられている。
【００３８】
本形態では、光軸方向から見たときに第１ガイド軸２０と第２ガイド軸２２とが重なり、第１ガイド軸２１と第２ガイド軸２３とが重なるように、第１ガイド軸２０、２１および第２ガイド軸２２、２３が配置されている。すなわち、第１ガイド軸２０の軸中心と第２ガイド軸２２との軸中心が略一致し、第１ガイド軸２１の軸中心と第２ガイド軸２３の軸中心とが略一致するように、第１ガイド軸２０、２１および第２ガイド軸２２、２３が配置されている。
【００３９】
第３ガイド軸２４は、第１ベース部材１６の側面部１６ａと第２ベース部材１７の側面部１７ａとに取り付けられている。具体的には、光軸方向を軸方向として、左右方向における保持体７の右端側で、第３ガイド軸２４の両端側のそれぞれが側面部１６ａ、１７ａに取り付けられている。
【００４０】
第１可動体５は、第１ガイド軸２０が挿通される挿通孔が形成される軸挿通部５ａと、ズームレンズ２が固定されるレンズ固定部５ｂと、第３ガイド軸２４に係合する略Ｕ形状の溝部５ｄが形成される軸挿通部５ｃとを備えている。軸挿通部５ａの左側面には、第１駆動用コイル１２の右側面が固定されている。レンズ固定部５ｂは、軸挿通部５ａから右側に向かって突出するように形成されている。軸挿通部５ｃは、レンズ固定部５ｂから右側へ向かって突出するように形成されている。また、第１駆動用コイル１２の左側面には、第１ガイド軸２１に係合する略Ｕ形状の溝部２５ａが形成される係合部材２５が固定されている。
【００４１】
第２可動体６は、第２ガイド軸２２が挿通される挿通孔が形成される軸挿通部６ａと、フォーカスレンズ３が固定されるレンズ固定部６ｂと、第３ガイド軸２４に係合する略Ｕ形状の溝部６ｄが形成される軸挿通部６ｃとを備えている。軸挿通部６ａの左側面には、第２駆動用コイル１４の右側面が固定されている。レンズ固定部６ｂは、軸挿通部６ａから右側に向かって突出するように形成されている。軸挿通部６ｃは、レンズ固定部６ｂから右側へ向かって突出するように形成されている。また、第２駆動用コイル１４の左側面には、第２ガイド軸２３に係合する略Ｕ形状の溝部２６ａが形成される係合部材２６が固定されている。
【００４２】
光軸方向における係合部材２６の両側には、図２に示すように、付勢部材としての圧縮コイルバネ２７、２８が配置されている。圧縮コイルバネ２７、２８には、第２ガイド軸２３が挿通されている。圧縮コイルバネ２７の一端は、第２ベース部材１７の側面部１７ａに当接し、圧縮コイルバネ２７の他端は、係合部材２６の反被写体側端に当接している。また、圧縮コイルバネ２８の一端は、係合部材２６の被写体側端に当接し、圧縮コイルバネ２８の他端は、第２ベース部材１７の側面部１７ｂに当接している。
【００４３】
本形態の圧縮コイルバネ２７、２８は、第２可動体６を所定の原点位置に向かって付勢する機能を果たしている。また、圧縮コイルバネ２７、２８は、導電性材料で形成されており、圧縮コイルバネ２７には、第２駆動用コイル１４を構成する導線の一端部が固定され、圧縮コイルバネ２８には、第２駆動用コイル１４を構成する導線の他端部が固定されている。
【００４４】
（第１駆動機構および第２駆動機構の構成）
図４は、図２に示す第１駆動機構８の構成を説明するための概略図であり、（Ａ）は側面図、（Ｂ）は（Ａ）のＤ−Ｄ方向から第１駆動用磁石部１１および第１駆動用コイル１２を示す図である。図５は、図２に示す第２駆動機構９の構成を説明するための概略図であり、（Ａ）は側面図、（Ｂ）は（Ａ）のＥ−Ｅ方向から第２駆動用磁石部１３および第２駆動用コイル１４を示す図である。
【００４５】
第１駆動機構８は、上述のように、第１駆動用磁石部１１と第１駆動用コイル１２とを備えている。
【００４６】
第１駆動用磁石部１１は、光軸方向から見たときの形状が扁平な略長方形状となる略四角柱状に形成されている。この第１駆動用磁石部１１は、その長手方向と光軸方向とが一致するように、第１ベース部材１６の側面部１６ａ、１６ｂに固定されている。具体的には、第１ガイド軸２０、２１の間で、第１駆動用磁石部１１の両端側のそれぞれが側面部１６ａ、１６ｂに固定されている。また、第１駆動用磁石部１１は、光軸方向から見たときの第１駆動用磁石部１１の長辺が左右方向（Ｘ方向）と略平行になり、光軸方向から見たときの第１駆動用磁石部１１の短辺が上下方向（Ｙ方向）と略平行になるように、側面部１６ａ、１６ｂに固定されている。
【００４７】
上述のように、第１ベース部材１６は磁性材料で形成されている。また、第１カバー部材１８は、第１駆動用磁石部１１の上側および左右の両側を覆うように配置されるとともに、上述のように磁性材料で形成されている。本形態では、第１ベース部１６の下面部および第１カバー部材１８の上面部はヨークとしての機能を果たしている。
【００４８】
第１駆動用磁石部１１は、図４に示すように、上下方向で重なるように対向配置される長方形の板状の２個の第１駆動用磁石片３１、３２と、第１駆動用磁石片３１と第１駆動用磁石片３２との間に配置される長方形の板状の磁性部材３３とを備えている。第１駆動用磁石片３１、３２と、磁性部材３３とは、上下方向から見たときの形状が略同じ長方形状となるように形成されている。本形態では、第１駆動用磁石片３１が上側に配置され、第１駆動用磁石片３２が下側に配置されている。また、第１駆動用磁石片３１の下面と磁性部材３３の上面とが固定され、第１駆動用磁石片３２の上面と磁性部材３３の下面とが固定されている。
【００４９】
本形態では、第１駆動用磁石片３１の厚さ（上下方向の厚さ）と第１駆動用磁石片３２の厚さとが略等しくなっている。また、第１駆動用磁石片３１、３２の厚さよりも磁性部材３３の厚さが厚くなっている。たとえば、磁性部材３３の厚さは、第１駆動用磁石片３１、３２の厚さの約３倍となっている。なお、本形態の第１駆動用磁石片３１、３２は、光軸方向に略直交する方向で重なるように対向配置される駆動用磁石片である。また、上下方向は、第１駆動用磁石片３１、３２の対向方向である。
【００５０】
第１駆動用コイル１２は、光軸方向から見たときの形状が略長方形状となるように巻回されて形成されている。すなわち、第１駆動用コイル１２は、互いに略平行な２個の長辺部１２ａと、互いに略平行な２個の短辺部１２ｂとから構成されている。この第１駆動用コイル１２は、長辺部１２ａが左右方向と略平行になり、短辺部１２ｂが上下方向と略平行になるように、第１可動体５に固定されている。すなわち、第１駆動用コイル１２は、光軸方向から見たときの第１駆動用コイル１２の長辺が左右方向と略平行になり、光軸方向から見たときの第１駆動用コイル１２の短辺が上下方向と略平行になるように第１可動体５に固定されている。
【００５１】
また、第１駆動用コイル１２は、その内周側が第１駆動用磁石部１１の外周面と所定の隙間を介して対向配置されるように、第１可動体５に固定されている。すなわち、第１駆動用コイル１２の内周面と第１駆動用磁石部１１の外周面とが所定の隙間を介して略平行になるように、第１駆動用コイル１２が第１可動体５に固定されており、第１駆動用コイル１２は、第１可動体５とともに光軸方向へ移動可能となっている。
【００５２】
図４に示すように、第１駆動用磁石片３１の下面と、第１駆動用磁石片３２の上面とは、同じ磁極に着磁されている。すなわち、上下方向で互いに対向する第１駆動用磁石片３１、３２同士の対向面は、いずれも同じ磁極に着磁されており、第１駆動用磁石片３１と第１駆動用磁石片３２とは、上下方向において、同じ磁極同士が対向するように配置されている。たとえば、第１駆動用磁石片３１、３２同士の対向面は、いずれもＳ極に着磁されている。
【００５３】
そのため、第１駆動用磁石部１１の周囲には、図４の矢印で示すように、長辺部１２ａの内周側から外周側に向かって通過する磁束が発生している。本形態では、長辺部１２ａを利用して、光軸方向への第１可動体５の駆動力を得ている。すなわち、長辺部１２ａは、第１駆動用コイル１２の有効辺となっている。なお、第１駆動用磁石部１１の周囲には、短辺部１２ｂの外周側から内周側に向かって通過する磁束も発生しているが、短辺部１２ｂを通過する磁束の密度は、長辺部１２ａを通過する磁束の密度よりも低くなっている。
【００５４】
第２駆動機構９は、上述のように、第２駆動用磁石部１３と第２駆動用コイル１４とを備えている。
【００５５】
第２駆動用磁石部１３は、光軸方向から見たときの形状が扁平な略長方形状となる略四角柱状に形成されている。具体的には、第２駆動用磁石部１３は、光軸方向から見たときの第１駆動用磁石部１１の形状と第２駆動用磁石部１３の形状とが略同じになる略四角柱状に形成されている。
【００５６】
この第２駆動用磁石部１３は、その長手方向と光軸方向とが一致するように、第２ベース部材１７の側面部１７ａ、１７ｂに固定されている。具体的には、第２ガイド軸２２、２３の間で、第２駆動用磁石部１３の両端側のそれぞれが側面部１７ａ、１７ｂに固定されている。また、第２駆動用磁石部１３は、光軸方向から見たときの第２駆動用磁石部１３の長辺が左右方向と略平行になり、光軸方向から見たときの第２駆動用磁石部１３の短辺が上下方向と略平行になるように、側面部１７ａ、１７ｂに固定されている。また、本形態では、光軸方向から見たときに、第１駆動用磁石部１１と第２駆動用磁石部１３とが重なるように、第１駆動用磁石部１１および第２駆動用磁石部１３が配置されている。
【００５７】
上述のように、第２ベース部材１７は磁性材料で形成されており、第２ベース部材１７はヨークとしての機能を果たしている。また、第２カバー部材１９は、第２駆動用磁石部１３の上側および左右の両側を覆うように配置されるとともに、上述のように磁性材料で形成されており、第２カバー部材１９もヨークとしての機能を果たしている。
【００５８】
第２駆動用磁石部１３は、図５に示すように、光軸方向で重なるように配置される略四角柱状の２個の第２駆動用磁石片３４、３５と、第２駆動用磁石片３４と第２駆動用磁石片３５との間に配置される長方形の板状の磁性部材３６とを備えている。第２駆動用磁石片３４、３５と、磁性部材３６とは、光軸方向から見たときの形状が略同じ長方形状となるように形成されている。本形態では、第２駆動用磁石片３４が被写体側に配置され、第２駆動用磁石片３５が反被写体側に配置されている。また、第２駆動用磁石片３４の反被写体側の端面と、磁性部材３６の被写体側の面とが固定され、第２駆動用磁石片３５の被写体側の端面と、磁性部材３６の反被写体側の面とが固定されている。
【００５９】
本形態では、光軸方向における第２駆動用磁石片３４の長さと第２駆動用磁石片３５の長さとがほぼ等しくなっている。また、光軸方向における第２駆動用磁石片３４、３５の長さは、光軸方向における磁性部材３６の長さ（厚さ）よりも長くなっている。
【００６０】
第２駆動用コイル１４は、第１駆動用コイル１２と同様に、光軸方向から見たときの形状が略長方形状となるように巻回されて形成されている。この第２駆動用コイル１４は、光軸方向から見たときの第２駆動用コイル１４の長辺が左右方向と略平行になり、光軸方向から見たときの第２駆動用コイル１４の短辺が上下方向と略平行になるように第２可動体６に固定されている。
【００６１】
また、第２駆動用コイル１４は、その内周側が第２駆動用磁石部１３の外周面と所定の隙間を介して対向配置されるように、第２可動体６に固定されている。すなわち、第２駆動用コイル１４の内周面と第２駆動用磁石部１３の外周面とが所定の隙間を介して略平行になるように、第２駆動用コイル１４が第２可動体６に固定されており、第２駆動用コイル１４は、第２可動体６とともに光軸方向へ移動可能となっている。なお、本形態では、第２可動体６の可動範囲において、磁性部材３６が常に第２駆動用コイル１４の内周側に配置されるように、第２駆動用磁石部１３および第２駆動用コイル１４が配置されている。
【００６２】
図５に示すように、第２駆動用磁石片３４の反被写体側の端面と、第２駆動用磁石片３５の被写体側の端面とは、同じ磁極に着磁されている。すなわち、光軸方向で互いに対向する第２駆動用磁石片３４、３５同士の対向面は、いずれも同じ磁極に着磁されており、第２駆動用磁石片３４と第２駆動用磁石片３５とは、光軸方向において、同じ磁極同士が対向するように配置されている。たとえば、第２駆動用磁石片３４、３５同士の対向面は、いずれもＮ極に着磁されている。
【００６３】
そのため、図５の矢印で示すように、第２駆動用磁石片３４、３５の間には、第２駆動用コイル１４の内周側から外周側に向かって第２駆動用コイル１４の全周を通過する磁束が発生している。本形態では、第２駆動用コイル１４の全周を利用して、光軸方向への第２可動体６の駆動力を得ている。すなわち、第２駆動用コイル１４の全周が第２駆動用コイル１４の有効辺となっている。
【００６４】
（位置保持機構の構成）
図６は、図２に示す第１可動体５を、光軸方向における所定の位置で保持する位置保持機構３８の構成を説明するための図である。
【００６５】
本形態のレンズ駆動装置１は、光軸方向における所定の位置で第１可動体５を保持する位置保持機構３８を備えている。位置保持機構３８は、たとえば、図６に示すように、第１ガイド軸２０に形成される複数の凹部２０ａと、第１可動体５に取り付けられる板バネ３９とによって構成されている。すなわち、位置保持機構３８は、第１可動体５と第１ガイド軸２０との間に配置されている。
【００６６】
凹部２０ａは、第１ガイド軸２０の外周面の円周方向の全域がＶ形状に窪むＶ溝状に形成されている。また、凹部２０ａは、レンズ駆動装置１が搭載されるカメラのズーム倍率が所定の倍率となる位置で第１可動体５が保持されるように、所定の間隔で第１ガイド軸２０に複数、形成されている。たとえば、ズーム倍率が等倍、１．５倍、２倍、２．５倍、３倍となる位置で第１可動体５が保持されるように、所定の間隔で５個の凹部２０ａが第１ガイド軸２０に形成されている。板バネ３９には、凹部２０ａに係合する係合部としての係合突部３９ａが膨らむように形成されている。
【００６７】
本形態では、第１可動体５が停止しているときには、通常、図６の実線で示すように、板バネ３９の係合突部３９ａが凹部２０ａに係合しており、第１可動体５は、光軸方向における所定の位置で保持体７に保持されている。一方、第１可動体５に第１駆動機構８の駆動力が作用すると、板バネ３９が変形し、係合突部３９ａが凹部２０ａから外れて、第１可動体５は光軸方向へ移動する。このときには、図６の二点鎖線で示すように、係合突部３９ａが第１ガイド軸２０の外周面に接触しながら、第１可動体５が光軸方向へ移動する。また、第１可動体５が所定の位置まで移動して停止すると、係合突部３９ａが凹部２０ａに係合して、第１可動体５は、その位置で保持体７に保持される。
【００６８】
（本形態の主な効果）
以上説明したように、本形態では、上下方向で互いに対向する第１駆動用磁石片３１、３２同士の対向面は、いずれも同じ磁極に着磁されており、第１駆動用磁石部１１の周囲には、たとえば、上述のように、長辺部１２ａの内周側から外周側に向かって通過する磁束が発生している。また、本形態では、略四角筒状に巻回されて形成された第１駆動用コイル１２は、その内周面が第１駆動用磁石部１１の外周面と所定の隙間を介して対向するように配置されている。そのため、光軸方向において、第１可動体５がどの位置にあっても、第１可動体５に作用する光軸方向への第１駆動機構８の駆動力が略一定になる。したがって、本形態では、可動量の大きなズームレンズ２の光軸方向への駆動を安定させることが可能になる。
【００６９】
また、本形態では、第１駆動用磁石部１１と、１個の第１駆動用コイル１２とによって、光軸方向へのズームレンズ２の駆動力を得ることが可能になるため、特許文献１および２に記載のレンズ駆動装置と比較して、ズームレンズ２を駆動するための機構を簡素化することが可能になる。その結果、本形態では、レンズ駆動装置１を小型化することが可能になる。
【００７０】
本形態では、第１駆動用磁石部１１は、光軸方向から見たときの第１駆動用磁石部１１の長辺が左右方向と略平行になるように配置され、第１駆動用コイル１２は、光軸方向から見たときの第１駆動用コイル１２の長辺が左右方向と略平行になるように配置されている。そのため、第１駆動用コイル１２の有効辺となる長辺部１２ａと、第１駆動用磁石部１１との対向面積を増やすことが可能になる。したがって、本形態では、第１駆動機構８の駆動力を高めることが可能になり、光軸方向へのズームレンズ２の駆動をより安定させることが可能になる。
【００７１】
本形態では、光軸方向で互いに対向する第２駆動用磁石片３４、３５同士の対向面は、いずれも同じ磁極に着磁されており、たとえば、上述のように、第２駆動用磁石片３４、３５の間には、第２駆動用コイル１４の内周側から外周側に向かって第２駆動用コイル１４の全周を通過する磁束が発生している。そのため、第２駆動機構９では、第２駆動用磁石部１３の全周および第２駆動用コイル１４の全周を利用して第２可動体６を駆動するための磁気回路を効率良く形成することが可能になる。したがって、第２駆動機構９によるフォーカスレンズ３の駆動力を高めることが可能になる。その結果、本形態では、可動量の小さなフォーカスレンズ３の光軸方向への応答性を高めることが可能になる。また、本形態では、可動量の小さなフォーカスレンズ３の光軸方向への駆動を安定させることが可能になる。
【００７２】
本形態では、第１駆動用磁石片３１、３２の間に磁性部材３３が配置されている。本願発明者の検討によると、第１駆動用磁石片３１、３２の間に磁性部材３３が配置されていない場合と比較して、第１駆動用磁石片３１、３２の間に磁性部材３３が配置されていると、効率の良い磁気回路を形成することが可能になる。したがって、本形態では、第１駆動機構８の駆動力を効果的に高めることが可能になる。
【００７３】
また、本形態では、第２駆動用磁石片３４、３５の間に磁性部材３６が配置されている。本願発明者の検討によると、第２駆動用磁石片３４、３５の間に磁性部材３６が配置されていない場合と比較して、第２駆動用磁石片３４、３５の間に磁性部材３６が配置されていると、効率の良い磁気回路を形成することが可能になる。したがって、本形態では、第２駆動機構９の駆動力を効果的に高めることが可能になる。
【００７４】
本形態では、レンズ駆動装置１は、光軸方向における所定の位置で第１可動体５を保持する位置保持機構３８を備えている。そのため、第１可動体５を所定位置で保持するための保持電流を第１駆動用コイル１２に流す必要がなくなる。したがって、本形態では、レンズ駆動装置１の省電力化を図ることが可能になる。また、第１可動体５の位置を検出するための検出機構を設けなくても、第１可動体５を所定の位置で停止させることが可能になる。したがって、レンズ駆動装置１の構成を簡素化することが可能になるとともに、ズームレンズ２を駆動するための制御が容易になる。
【００７５】
また、本形態では、レンズ駆動装置１は、第２可動体６を所定の原点位置に向かって付勢する圧縮コイルバネ２７、２８を備えている。そのため、第２可動体６を原点位置に戻す際に第２駆動用コイル１４に電流を流す必要がなくなる。したがって、本形態では、レンズ駆動装置１の省電力化を図ることが可能になる。また、第２可動体６の原点位置を検出するための検出機構を設けなくても、第２可動体６を原点位置で停止させることが可能になる。したがって、レンズ駆動装置１の構成を簡素化することが可能になるとともに、フォーカスレンズ３を駆動するための制御が容易になる。
【００７６】
本形態では、レンズ駆動装置１が搭載されるカメラのズーム倍率が所定の倍率となる位置で第１可動体５が保持されるように、第１ガイド軸２０に、所定の間隔で複数の凹部２０ａが形成されている。そのため、本形態では、カメラのズーム倍率が段階的に変わるように、ズームレンズ２をステップ駆動することが可能になる。
【００７７】
本形態では、圧縮コイルバネ２７に、第２駆動用コイル１４を構成する導線の一端部が固定され、圧縮コイルバネ２８に、第２駆動用コイル１４を構成する導線の他端部が固定されている。そのため、第２駆動用コイル１４を構成する導線の端部を固定するための端子を別途、設ける必要がない。したがって、本形態では、レンズ駆動装置１の構成を簡素化することが可能になる。
【００７８】
本形態では、光軸方向から見たときに、第１駆動用磁石部１１と第２駆動用磁石部１３とが重なり、第１ガイド軸２０と第２ガイド軸２２とが重なり、第１ガイド軸２１と第２ガイド軸２３とが重なっている。そのため、光軸方向から見たときに、第１駆動用磁石部１１と第２駆動用磁石部１３とがずれている場合、および／または、第１ガイド軸２０と第２ガイド軸２２とがずれている場合、および／または、第１ガイド軸２１と第２ガイド軸２３とがずれている場合と比較して、光軸方向に直交する方向において、レンズ駆動装置１を小型化することが可能になる。
【００７９】
（他の実施の形態）
上述した形態は、本発明の好適な形態の一例ではあるが、これに限定されるものではなく本発明の要旨を変更しない範囲において種々変形実施が可能である。
【００８０】
上述した形態では、第１駆動用磁石片３１、３２の間に磁性部材３３が配置され、第２駆動用磁石片３４、３５の間に磁性部材３６が配置されている。この他にもたとえば、第１駆動用磁石片３１、３２の間および／または第２駆動用磁石片３４、３５の間に磁性部材３３、３６が配置されずに、所定の隙間が形成されても良いし、第１駆動用磁石片３１、３２同士の対向面および／または第２駆動用磁石片３４、３５の対向面が当接していても良い。また、第１駆動用磁石片３１、３２の間および／または第２駆動用磁石片３４、３５の間に非磁性部材が配置されても良い。
【００８１】
上述した形態では、第１駆動用磁石片３１、３２の厚さよりも磁性部材３３の厚さが厚くなっている。この他にもたとえば、第１駆動用磁石片３１、３２の厚さと磁性部材３３の厚さとが略等しくても良いし、第１駆動用磁石片３１、３２の厚さよりも磁性部材３３の厚さが薄くなっていても良い。また、上述した形態では、第１駆動用磁石片３１の厚さと第１駆動用磁石片３２の厚さとが略等しくなっているが、第１駆動用磁石片３１の厚さと第１駆動用磁石片３２の厚さとが異なっていても良い。
【００８２】
上述した形態では、第１駆動用磁石部１１は、光軸方向から見たときの第１駆動用磁石部１１の長辺が左右方向と略平行になり、光軸方向から見たときの第１駆動用磁石部１１の短辺が上下方向と略平行になるように配置され、第１駆動用コイル１２は、光軸方向から見たときの第１駆動用コイル１２の長辺が左右方向と略平行になり、光軸方向から見たときの第１駆動用コイル１２の短辺が上下方向と略平行になるように配置されている。この他にもたとえば、第１駆動用磁石部１１は、光軸方向から見たときの第１駆動用磁石部１１の長辺が上下方向と略平行になり、光軸方向から見たときの第１駆動用磁石部１１の短辺が左右方向と略平行になるように配置され、第１駆動用コイル１２は、光軸方向から見たときの第１駆動用コイル１２の長辺が上下方向と略平行になり、光軸方向から見たときの第１駆動用コイル１２の短辺が左右方向と略平行になるように配置されても良い。また、この場合には、２個の第１駆動用磁石片３１、３２が左右方向で重なるように対向配置されても良い。
【００８３】
上述した形態では、凹部２０ａは、第１ガイド軸２０の外周面の円周方向の全域がＶ形状に窪むＶ溝状に形成されている。この他にもたとえば、凹部２０ａは、第１ガイド軸２０の外周面の円周方向の一部がＶ形状に窪むＶ溝状に形成されても良い。また、凹部２０ａは、Ｕ溝状等の他の形状に形成されても良い。
【００８４】
上述した形態では、位置保持機構３８は、第１ガイド軸２０に形成される複数の凹部２０ａと、板バネ３９とによって構成されている。この他にもたとえば、位置保持機構３８は、図７に示すように、ボール５０と圧縮コイルバネ５１とを備えるボールプランジャーと、第１ガイド軸２０の複数の凹部２０ａとによって構成されても良い。この場合には、ボールプランジャーは、第１可動体５に固定される。また、この場合には、ボール５０は、凹部２０ａに係合する係合部となる。また、位置保持機構３８は、第１ガイド軸２０の複数の凹部２０ａと、凹部２０ａに係合するプランジャーを有するソレノイドとによって構成されても良い。
【００８５】
また、第１駆動用コイル１２が巻回されるボビンを第１可動体５が有する場合には、下側に突出する第１の突出部をこのボビンに形成し、上側に突出する第２の突出部を第１ベース部材１６の下面に形成するとともに、第１の突起部と第２の突起部との間に生じる吸引力を利用して、光軸方向における所定の位置で第１可動体５を保持しても良い。すなわち、第１駆動用コイル１２が巻回されるボビンと、第１駆動用コイル１２と、第１ベース部材１６とによって、光軸方向における所定の位置で第１可動体５を保持する位置保持機構が構成されても良い。
【００８６】
なお、位置保持機構３８を設けずに、光軸方向における所定の位置で第１可動体５を保持するための保持電流を第１駆動用コイル１２に流しても良い。
【００８７】
上述した形態では、圧縮コイルバネ２７、２８によって、第２可動体６は、所定の原点位置に向かって付勢されている。この他にもたとえば、引張りコイルバネや板バネ等の他のバネ部材によって、第２可動体６が原点位置に向かって付勢されても良いし、ゴム等の弾性部材によって、第２可動体６が原点位置に向かって付勢されても良い。
【００８８】
上述した形態では、第２駆動用磁石部１３は、光軸方向で互いに対向する第２駆動用磁石片３４、３５を備え、第２駆動用磁石片３４、３５同士の対向面が、いずれも同じ磁極に着磁されている。この他にもたとえば、第２駆動用磁石部１３は、第１駆動用磁石部１１と同様に、上下方向で互いに対向する２個の第２駆動用磁石片を備え、この２個の第２駆動用磁石片同士の対向面が、いずれも同じ磁極に着磁されても良い。また、上述した形態では、レンズ駆動装置１は、第１駆動機構８と第２駆動機構９とを備えているが、レンズ駆動装置１は、第１駆動機構８のみを備えていても良い。
【００８９】
上述した形態では、第１駆動用磁石部１１および第２駆動用磁石部１３は、光軸方向から見たときの形状が略長方形状となる略四角柱状に形成され、第１駆動用コイル１２および第２駆動用コイル１４は、光軸方向から見たときの形状が略長方形状となる略四角筒状に巻回されて形成されている。この他にもたとえば、第１駆動用磁石部１１および／または第２駆動用磁石部１３は、光軸方向から見たときの形状が略正方形状または略台形状となる略四角柱状に形成され、第１駆動用コイル１２および／または第２駆動用コイル１４は、光軸方向から見たときの形状が略正方形状または略台形状となる略四角筒状に巻回されて形成されても良い。また、第１駆動用磁石部１１および／または第２駆動用磁石部１３は、光軸方向から見たときの形状が略六角形状等の略多角形状となる略多角柱状に形成され、第１駆動用コイル１２および／または第２駆動用コイル１４は、光軸方向から見たときの形状が略六角形状等の略多角形状となる略多角筒状に巻回されて形成されても良い。
【００９０】
上述した形態では、レンズ駆動装置１は、略直方体状（略四角柱状）に形成されているが、レンズ駆動装置１は、略多角柱状に形成されても良いし、略円柱状あるいは略楕円柱状に形成されても良い。
【００９１】
なお、上述した形態では、第１駆動機構８は、１個の第１駆動用磁石部１１と１個の第１駆動用コイル１２とを備えているが、第１駆動機構８は、２個以上の第１駆動用磁石部１１と、第１駆動用磁石部１１と同じ数の第１駆動用コイル１２とを備えていても良い。同様に、上述した形態では、第２駆動機構９は、１個の第２駆動用磁石部１３と１個の第２駆動用コイル１４とを備えているが、第２駆動機構９は、２個以上の第２駆動用磁石部１３と、第２駆動用磁石部１３と同じ数の第２駆動用コイル１４とを備えていても良い。
【００９２】
また、上述した形態では、第１駆動用磁石部１１の左右の両側は、磁性材料で形成された第１カバー部材１８によって覆われているが、第１駆動機構８の磁気回路の効率を高めるためには、第１駆動用磁石部１１の左右の両側が磁性部材で覆われていない方が好ましい。
【符号の説明】
【００９３】
１  レンズ駆動装置
２  ズームレンズ（レンズ）
３  フォーカスレンズ
５  第１可動体（可動体）
６  第２可動体
７  保持体
８  第１駆動機構（駆動機構）
９  第２駆動機構
１１  第１駆動用磁石部（駆動用磁石部）
１２  第１駆動用コイル（駆動用コイル）
１３  第２駆動用磁石部
１４  第２駆動用コイル
２０  第１ガイド軸（ガイド軸）
２０ａ  凹部
２１  第１ガイド軸
２２  第２ガイド軸
２３  第２ガイド軸
２７、２８  圧縮コイルバネ（付勢部材）
３１、３２  第１駆動用磁石片（駆動用磁石片）
３３  磁性部材
３４、３５  第２駆動用磁石片
３６  磁性部材
３８  位置保持機構
３９  板バネ
３９ａ  係合突部（係合部）
５０  ボール（係合部）
Ｌ  光軸
Ｘ  対向方向に直交する方向
Ｙ  対向方向
【図１】
2011059244.tif 000003
【図２】
2011059244.tif 000004
【図３】
2011059244.tif 000005
【図４】
2011059244.tif 000006
【図５】
2011059244.tif 000007
【図６】
2011059244.tif 000008
【図７】
2011059244.tif 000009